(57)【要約】      （修正有）【課題】被測定物の表面の反射率が比較的高い場合であっても、２次反射光による受光量分布の異常値の発生を抑えることができる光学プローブ、取付カバー、および形状測定装置を提供すること。【解決手段】光学式プローブ４０は、照射光学系および受光光学系を含む光学系を内蔵するプローブカバー４５を備える。プローブカバー４５の、ワークＷに対向する対向領域である下面４５ａには、光を通過させる出射領域４３および入力領域４４が設けられている。その下面４５ａは、ワークＷからの反射光のうち正反射する方向に沿う光を、出射領域４３からの出射光のワークＷへの照射位置Ｒから、入射領域４４に対して遠ざかる方向に反射させるような面となっている。これにより、入射領域４４への２次反射光の入射光量を抑えることができるので、受光量分布の異常値の発生を抑えることができる。【選択図】図６
2015148570.tif 000002
【特許請求の範囲】
【請求項１】
被測定物に対向する対向領域と、前記対向領域に設けられた、光を通過させる出射領域および入射領域とを有するプローブカバーと、
前記プローブカバー内に設けられ、前記出射領域を介して光を出射し、前記入射領域を介して前記被測定物からの反射光を受光する光学系とを備え、
前記プローブカバーの少なくとも前記対向領域は、前記反射光のうち正反射する方向に沿う光を、前記出射領域からの出射光の前記被測定物への照射位置から、前記入射領域に対して遠ざかる方向に反射させる面を含む
光学式プローブ。
【請求項２】
請求項１に記載の光学式プローブであって、
前記面は、前記出射領域から前記入射領域にかけて形成された、前記光学系の出射光軸に対して非垂直な平面である
光学式プローブ。
【請求項３】
請求項２に記載の光学式プローブであって、
前記平面は、前記出射光軸に対して４５°以上８５°以下の角度で設けられている
光学式プローブ。
【請求項４】
請求項１に記載の光学式プローブであって、
前記面は、前記出射領域から前記入射領域にかけて設けられた、または、前記出射領域と前記入射領域との間に設けられた凸面である
【請求項５】
請求項１に記載の光学式プローブであって、
前記面は、前記出射領域から前記入射領域にかけて段差を形成するように設けられたクランク形状の面である
光学式プローブ。
【請求項６】
請求項１に記載の光学式プローブであって、
前記対向領域を覆うように前記プローブカバーに着脱可能に設けられ、前記反射光のうち正反射する方向に沿う光を、前記入射領域から遠ざかる方向に反射させる面を含む取付カバーをさらに具備する
光学式プローブ。
【請求項７】
被測定物に対向する対向領域と、前記対向領域に設けられた、光を通過させる出射領域および入射領域とを有するプローブカバーに接続可能な装着部と、
前記対向領域を覆うように前記プローブカバーに取付カバーが装着された状態で、前記出射領域からの出射光および前記入射領域へ入射する測定光を通過させるように前記出射領域および前記入射領域にそれぞれ対面する開口部と、前記被測定物からの反射光のうち正反射する方向に沿う光を、前記出射領域からの出射光の前記被測定物への照射位置から、前記入射領域に対して遠ざかる方向に反射させる面と、を有する対向部と
を具備する取付カバー。
【請求項８】
請求項７に記載の取付カバーであって、
前記出射領域を介して光を出射し、前記入射領域を介して前記被測定物からの反射光を受光する、前記プローブカバー内に設けられた光学系の出射光軸に対して、前記面は、非垂直な面であって、前記出射領域から前記入射領域にかけて形成された平面である
取付カバー。
【請求項９】
請求項８に記載の取付カバーであって、
前記平面は、前記出射光軸に対して４５°以上８５°以下の角度で設けられている
取付カバー。
【請求項１０】
請求項７に記載の取付カバーであって、
前記面は、前記出射領域から前記入射領域にかけて設けられた、または、前記出射領域と前記入射領域との間に設けられた凸面である
【請求項１１】
請求項７に記載の取付カバーであって、
前記面は、前記出射領域から前記入射領域にかけて段差を形成するように設けられたクランク形状の面である
取付カバー。
【請求項１２】
光学式プローブと、
被測定物が載置されるステージと、
前記光学式プローブで得られる信号に基づき、前記ステージ上の前記被測定物の形状を測定する測定処理部とを具備し、
前記光学式プローブは、
被測定物に対向する対向領域と、前記対向領域に設けられた、光を通過させる出射領域および入射領域とを有するプローブカバーと、
前記プローブカバー内に設けられ、前記出射領域を介して光を出射し、前記入射領域を介して前記被測定物からの反射光を受光する光学系とを有し、
前記プローブカバーの少なくとも前記対向領域は、前記反射光のうち正反射する方向に沿う光を、前記出射領域からの出射光の前記被測定物への照射位置から、前記入射領域に対して遠ざかる方向に反射させる面を含む
形状測定装置。
【発明の詳細な説明】
【技術分野】
【０００１】
本発明は、非接触で被測定物の形状を測定する光学式プローブ等の技術に関する。
【背景技術】
【０００２】
従来から、被測定物の形状を測定する非接触方式の測定装置として、光切断方式による測定方法を用いる装置がある。光切断方式では、例えばライン状の光が被測定物に照射され、その反射光が２次元状の受光素子により受光される。受光素子により得られる受光量分布は、増幅器により増幅された後、デジタル化され、このデジタルデータのピーク位置に基づいて、被測定物の断面形状が検出される。
【０００３】
特許文献１には、例えばライン状の光をそのライン方向で選択的に反射させて被測定物に照射するＤＭＤ（Digital Micro-mirror Device）を備える光学式プローブが開示されている。ＤＭＤは、被測定物の表面領域において光が照射される１ラインのうち、選択した所定の領域には光を照射しないので、多重反射の受光による異常値（虚像）の発生を抑えることができる（例えば、特許文献１の明細書段落［０００８］、［００２６］参照）。
【先行技術文献】
【特許文献】
【０００４】
【特許文献１】特開２０１２−２３００９７号公報
【発明の概要】
【発明が解決しようとする課題】
【０００５】
多重反射の１つの現象として、例えば被測定物の表面が比較的反射率の高い面、すなわち鏡面である場合には、被測定物からの正反射光がプローブに戻り、その光がさらにプローブで反射して被測定物に向かう、という現象が起こる。このようなプローブでの反射以降の反射を２次反射と定義する場合、この２次反射光を受光素子が受光することにより、受光量分布に異常値が発生する。
【０００６】
本発明の目的は、被測定物の表面の反射率が比較的高い場合であっても、２次反射光による受光量分布の異常値の発生を抑えることができる光学式プローブ、取付カバー、および形状測定装置を提供することにある。
【課題を解決するための手段】
【０００７】
上記目的を達成するため、本発明の一形態に係るプローブカバーと、光学系とを備える。
前記プローブカバーは、被測定物に対向する対向領域と、前記対向領域に設けられた、光を通過させる出射領域および入射領域とを有する。
前記光学系は、前記プローブカバー内に設けられ、前記出射領域を介して光を出射し、前記入射領域を介して前記被測定物からの反射光を受光する。
前記プローブカバーの少なくとも前記対向領域は、前記反射光のうち正反射する方向に沿う光を、前記出射領域からの出射光の前記被測定物への照射位置から、前記入射領域に対して遠ざかる方向に反射させる面を含む。
【０００８】
プローブカバーの対向領域が、反射光のうちの正反射する方向に沿う光を、入射領域に対して遠ざかる方向に反射させる面を含むので、入射領域への２次反射光の入射光量を抑えることができる。したがって、被測定物の表面の反射率が比較的高い場合であっても、受光量分布の異常値の発生を抑えることができる。
【０００９】
前記面は、前記出射領域から前記入射領域にかけて形成された、前記光学系の出射光軸に対して非垂直な平面であってもよい。これにより、反射光のうち正反射する方向に沿う光を、出射領域からの出射光の被測定物への照射位置から、入射領域に対して遠ざかる方向に反射させる面を実現することができる。
【００１０】
前記平面は、前記出射光軸に対して４５°以上８５°以下の角度で設けられていてもよい。出射光軸に対する平面の角度が８５°より大きいと、反射光のうち正反射する方向に沿う光を入射領域から遠ざかる方向に反射させることが実質的に難しくなる。出射光軸に対する平面の角度が４５°より小さいと、入射領域に入射されるべき測定光を適切に入射されなくなり、形状測定が実質的にできなくなるおそれがある。
【００１１】
前記面は、前記出射領域から前記入射領域にかけて設けられた、または、前記出射領域と前記入射領域との間に設けられた凸面であってもよい。あるいは、前記面は、前記出射領域から前記入射領域にかけて段差を形成するように設けられたクランク形状の面であってもよい。これにより、反射光のうち正反射する方向に沿う光を、出射領域からの出射光の被測定物への照射位置から、入射領域に対して遠ざかる方向に反射させる面を実現することができる。
【００１２】
前記光学式プローブは、前記対向領域を覆うように前記プローブカバーに着脱可能に設けられ、前記反射光のうち正反射する方向に沿う光を、前記入射領域から遠ざかる方向に反射させる面を含む取付カバーをさらに具備してもよい。当該面を備えていないプローブカバーに、この取付カバーを装着することで、入射領域への２次反射光の入射光量を抑え、受光量分布の異常値の発生を抑えることができる。
【００１３】
本発明の一形態に係る取付カバーは、装着部と、対向部とを具備する。
前記装着部は、測定物に対向する対向領域と、前記対向領域に設けられた、光を通過させる出射領域および入射領域とを有するプローブカバーに接続可能である。
前記対向部は、前記対向領域を覆うように前記プローブカバーに取付カバーが装着された状態で、前記出射領域からの出射光および前記入射領域へ入射する測定光を通過させるように前記出射領域および前記入射領域にそれぞれ対面する開口部を有する。また、前記対向部は、前記被測定物からの反射光のうち正反射する方向に沿う光を、前記出射領域からの出射光の前記被測定物への照射位置から、前記入射領域に対して遠ざかる方向に反射させる面を有する。
【００１４】
取付カバーの対向部が、反射光のうち正反射する方向に沿う光を、入射領域から遠ざかる方向に反射させる面を有する。したがって、被測定物の表面の反射率が比較的高い場合であっても、２次反射光の発生を抑制することができ、その結果、受光量分布の異常値の発生を抑えることができる。
【００１５】
前記反射防止構造または拡散構造により、前記プローブカバーの少なくとも前記対向領域の筐体構造が構成されていてもよい。
【００１６】
本発明の一形態に係る形状測定装置は、上記の光学式プローブと、ステージと、測定処理部とを具備する。
前記ステージには、被測定物が載置される。
前記測定処理部は、前記光学式プローブで得られる信号に基づき、前記ステージ上の前記被測定物の形状を測定する。
【発明の効果】
【００１７】
以上、本発明によれば、被測定物の表面の反射率が比較的高い場合であっても、２次反射光による受光量分布の異常値の発生を抑えることができる。
【図面の簡単な説明】
【００１８】
【図１】図１は、本発明の一実施形態に係る形状測定装置を主に示す斜視図である。
【図２】図２は、本発明の第１の実施形態に係る光学式プローブの構成を模式的に示す断面図である。
【図３】図３は、図２に示す光学式プローブを下面側から見た図である。
【図４】図４は、シャインプルーフ光学系の原理を説明するための図である。
【図５】図５ＡおよびＢは、ラインレーザが、三角柱形状のワークＷの形状に照射される状態を、それぞれｙ方向、ｘ方向で見た図である。図５Ｃは、撮像素子の撮像面上で得られるワークの観察像である。
【図６】図６Ａは、鏡面の表面を持つワークを測定した時に起こる問題を説明するための図である。図６Ｂは、その問題を解消できることを説明するための図である。
【図７】図７は、従来のプローブによる、鏡面の表面を有するワーク形状の測定結果の画像例を示す。
【図８】図８は、本発明の第２の実施形態に係る光学式プローブを示す。
【図９】図９は、本発明の第２の実施形態の他の例に係る光学式プローブを示す。
【図１０】図１０は、本発明の第２の実施形態のさらに別の例に係る光学式プローブを示す。
【図１１】図１１は、本発明の第３の実施形態に係る光学式プローブを示す。
【図１２】図１２ＡおよびＢは、本発明の第４の実施形態に係る光学式プローブを示す。
【図１３】図１３は、本発明の第４の実施形態の他の例に係る光学式プローブを示す。
【発明を実施するための形態】
【００１９】
以下、図面を参照しながら、本発明の実施形態を説明する。
【００２０】
［第１の実施形態］
図１は、本発明の一実施形態に係る形状測定装置を主に示す斜視図である。形状測定装置１００は、光学式プローブ（以下、「プローブ」という。）４０、ステージ１５、および移動機構１０を備える。
【００２１】
ステージ１５上には、被測定物としてのワークＷが載置される。移動機構１０は、ｘ、ｙおよびｚの３次元でプローブ４０を移動させることが可能に構成される。具体的には、移動機構１０は、プローブ４０をｚ方向に沿って移動させるｚ移動機構１１と、このｚ移動機構１１をｘ方向に沿って移動させるｘ移動機構１２と、これらｚ移動機構１１およびｘ移動機構１２を一体的にｙ方向に移動させるｙ移動機構１３とを備える。
【００２２】
形状測定装置１００は、コンピュータ等により構成される図示しない制御装置に接続されている。制御装置は、移動機構１０の駆動を制御する。また、制御装置は、プローブ４０により得られた信号に基づき、ワークＷの形状を測定する測定処理部を備える。測定処理部で生成された情報は、図示しないディスプレイに表示されるようになっている。
【００２３】
図２は、プローブ４０の構成を模式的に示す断面図である。図３は、このプローブ４０を下面４５ａ側から見た図である。プローブ４０は、プローブカバー４５と、プローブカバー４５に内蔵された光学系５０とを備える。
【００２４】
プローブカバー４５は、４つの側面４５ｂ、図２で見て円弧状の上面４５ｃ、および平面状の下面４５ａを有する。下面４５ａは、ステージ１５上のワークＷに対向する対向領域となる。上面４５ｃは、円弧状でなく、直線、あるいはその他の形状であってもよい。
【００２５】
光学系５０は、照射光学系２０および受光光学系３０を含む。照射光学系２０は、光源となるレーザダイオード２１と、レーザダイオード２１からのレーザ光を平行光にするコリメータレンズ２２と、平行光にされたレーザ光を一方向（ここではｙ方向）にライン状のレーザＬ０を生成するライン光生成素子２３とを有する。ライン光生成素子２３として、例えばロッドレンズが用いられる。
【００２６】
受光光学系３０は、複数のレンズを有する結像レンズユニット３２と、撮像素子３１とを有する。撮像素子３１として、ＣＣＤ（Charge Coupled Device）、またはＣＭＯＳ（Complementary Metal-Oxide Semiconductor）デバイス等が用いられる。
【００２７】
照射光学系２０から出射したレーザ光は、プローブカバー４５の下面４５ａに設けられた出射領域４３を介して出射される。出射されたレーザ光Ｌ０は、ラインレーザとしてワークＷに照射される。ワークＷで反射された反射光Ｌ１は、プローブカバー４５の下面４５ａに設けられた入射領域４４を介して受光光学系３０に入射する。
【００２８】
プローブカバー４５は、樹脂または金属を主材料として構成される。出射領域４３および入射領域４４は、照射光学系２０が発生するレーザ光に対して透明な材料でなる部材で構成される。出射領域４３および入射領域４４を構成する部材は、例えばレーザ光が可視光である場合、アクリルやガラスでなる。
【００２９】
なお、出射領域４３および入射領域４４のうち少なくとも一方は、プローブカバー４５が開口されることにより形成された穴であってもよい。
【００３０】
このプローブ４０の光学系５０には、シャインプルーフ光学系の原理が応用されている。図４は、シャインプルーフ光学系を説明するための図である。シャインプルーフの原理とは、撮像素子３１の撮像面３１ａ、結像レンズ３２'の主点を含む主平面、およびワークＷに照射されるラインレーザの照射面をそれぞれ延長した面が、一直線（図４では１点）で交わるように配置されている場合、撮像素子３１の撮像面３１ａの全体が合焦状態となるというものである。本実施形態では、シャインプルーフ光学系が用いられることにより、ラインレーザが照射される範囲における、ｙおよびｚ方向で合焦状態となる。
【００３１】
図５Ａ、Ｂは、プローブ４０からのラインレーザが、例えば三角柱形状のワークＷの形状に照射される状態を、それぞれｙ方向、ｘ方向で見た図である。図５Ｃは、その場合に撮像素子３１の撮像面３１ａ上で得られるワークの観察像である。
【００３２】
ラインレーザのライン方向であるｙ方向におけるワークＷの形状は、撮像面３１ａ上のｙ'方向の信号の形状に対応する。ラインレーザのｚ方向におけるワークＷの形状は、撮像面上のｚ'方向の信号の形状に対応する。ｘ移動機構１２がプローブ４０をｘ方向に走査することにより、ワークＷの全体形状を測定することができる。撮像素子３１で得られる画素ごとの受光量のピーク値（の軌跡）に基づき算出された空間座標値が、測定された形状となる。
【００３３】
このピーク検出は、上記の測定処理部により行われる。例えば測定処理部は、撮像面３１ａ上のｚ'方向に沿う画素列のうち、ピーク値を持つ画素位置、つまりピーク位置を検出する。この処理を、その画素列に直交する方向、つまりｙ'方向に沿って繰り返すことにより、１ライン分の形状測定が可能となる。
【００３４】
ここで、ワークが、拡散性の高い表面を有する場合、ワーク表面で反射された光のうち、拡散成分が強くなり、反射成分（ここでは正反射に近い反射の成分）は弱くなる。さらに多重反射により、光は反射回数に応じて減衰していくので、プローブカバーでの反射以降の２次反射は、誤ったピークとして検出される程の光量を有さないため問題にならない。
【００３５】
しかしながら、例えばワークＷが、反射率が比較的高い表面、例えば鏡面を持つ場合、次のような問題が起こる。図６Ａは、その問題点を説明する図である。図に示すように、光学式プローブ１１０から出射されたレーザ光Ｌ０が、鏡面のワークＷに照射されると、それが正反射する方向に沿う反射光Ｌ２の強度が大きくなる。その反射光Ｌ２は、プローブ１１０の下面において、照射光学系１１２の出射領域およびその周辺の領域で反射され、その反射光Ｌ３は再びワークＷに照射される。つまり、プローブ１１０の下面で２次反射が発生する。この２次反射光の発生する範囲を図中、符号Ｄで示す。ワークＷで反射された２次反射光のうち、プローブ１１０の受光光学系１１３に入射する光を、撮像素子が捉えると、その像は虚像となり、誤ったピークとして検出されてしまうため、異常値を発生する。
【００３６】
図７は、従来のプローブによる、例えば鏡面の表面を有するワーク形状の測定結果の画像例を示す。このワークの形状は、例えば角Ｒを有する直方体である。図において破線で囲まれた部分に示すように、このワークの角Ｒの部分で、２次反射の発生による受光量分布の異常値（虚像）が検出される。
【００３７】
このような異常値の発生を防止するために、図６Ｂに示すように、本実施形態のプローブカバー４５の下面４５ａは、ワークからの反射光のうち正反射する方向（図２ではｚ方向）に沿う光Ｌ２を、出射領域４３からのレーザ光Ｌ０のワークＷへの照射位置（入射位置）である点Ｒの位置から、入射領域４４に対して遠ざかる方向（図中左側への方向）に反射させる面で構成される。
【００３８】
このような面の例の１つとして、下面４５ａは、少なくとも出射領域４３から入射領域４４にかけて形成された平面であって、出射光軸（ｚ方向）に対して非垂直な平面で構成される。すなわち図２に示すように、下面４５ａは、出射光軸に対して所定の角度αを持つ斜面によって形成される。
【００３９】
このように構成された下面４５ａによれば、図６Ｂに示すように、正反射の方向に沿う強度の高い反射光Ｌ２が、プローブカバー４５の下面４５ａに入射され、その反射光Ｌ３が発生する範囲Ｄが、入射領域４４から遠ざかる向きとなる。これにより、強度の高い２次反射光である反射光Ｌ２の入射領域４４への入射光量を抑えることができる。すなわち、ワークＷの表面の反射率が比較的高い場合であっても、受光量分布の異常値の発生を抑えることができ、測定データの高精度化および高品質化を図ることができる。
【００４０】
角度αは、例えば４５°以上８５°以下とされる。角度αが８５°より大きく直角に近くなると、ワークＷから正反射する方向に沿う光を入射領域４４から遠ざかる方向に反射させることが実質的に難しくなる。角度αが４５°より小さいと、入射領域４４に入射されるべき測定光が適切に入射されなくなり、形状測定が実質的にできなくなるおそれがある。
【００４１】
また、従来のプローブでは、異常値の発生の確認作業およびその異常値を取り除く作業が必要であったが、本実施形態ではそれらが不要になり、作業時間を短縮することができるとともに、作業者の負担を軽減することができる。
【００４２】
［第２の実施形態］
次に、本発明の第２の実施形態に係るプローブについて説明する。これ以降の説明では、図１等に示した実施形態に係るプローブ４０が含む部材や機能等について実質的に同様の要素については同一の符号を付し、その説明を簡略化または省略し、異なる点を中心に説明する。
【００４３】
図８、９の各形態のプローブカバー７５、８５の下面は、出射領域４３から入射領域４４にかけて設けられた、または、出射領域４３と入射領域４４との間に設けられた凸面７５ａ、８５ａをそれぞれ有する。
【００４４】
図８に示す例に係るプローブカバー７５の下面に形成された凸面７５ａは、２つの斜面７５ｂ、７５ｃで構成される。２つの斜面７５ｂ、７５ｃは、それぞれ平面でなり、出射領域４３および入射領域４４の間で交わるように設けられる。
【００４５】
なお、図８に示すプローブカバー７５の下面側から見た外形は、実質的に、長方形やその他の多角形でもよい。あるいはその外形は、円もしくは楕円であってもよく、その下面の凸面が、円錐形状または楕円錐形状であってもよい。
【００４６】
図９に示す例に係るプローブカバー８５の下面に形成された凸面８５ａは、実質的に円弧または楕円弧で構成される。このプローブカバー８５を下面側から見た外形は、長方形やその他の多角形でもよい。あるいはその外形は、円もしくは楕円等で構成されていてもよい。
【００４７】
図１０に示す例に係るプローブカバー１０５の下面は、出射領域４３から入射領域４４にかけてそれら出射領域４３と入射領域４４との間に設けられたクランク形状の面１０５ａを含む。より具体的には、クランク形状の面１０５ａは、斜面１０５ｂと段差面１０５ｃと斜面１０５ｄとを有する。斜面１０５ｂは、出射領域４３を含む面であり、斜面１０５ｄは、入射領域４４を含む面である。段差面１０５ｃは、斜面１０５ｂと１０５ｄとの間に段差を形成するための面である。これらの各面１０５ｂ、１０５ｃ、１０５ｄは、曲面であってもよい。段差面１０５ｃの高さは、入射領域４４へ入射される測定光の行路を遮らない程度の高さとされる。
【００４８】
以上のように構成された凸面７５ａ、８５ａ、また、クランク形状の面１０５ａは、上記第１の実施形態に係るプローブカバー４５の作用と同様に、正反射の方向に沿う強度の高いワークからの反射光を、ワークへの照射位置から、入射領域４４に対して遠ざかる方向に反射する。これにより、受光量分布の異常値の発生を抑えることができる。
【００４９】
［第３の実施形態］
次に、本発明の第３の実施形態に係るプローブについて説明する。図１１は、その第３の実施形態に係るプローブを示す。
【００５０】
このプローブのプローブカバーは、上記第１の実施形態に係るプローブカバー４５であり、その下面４５ａは平面の斜面で形成されている。この下面４５ａには、光の反射防止構造４１が設けられている。反射防止構造４１として、例えば反射防止膜が用いられる。
【００５１】
反射防止膜は、下面４５ａのうち出射領域４３および入射領域４４を除いた領域に形成されている。
【００５２】
反射防止膜は、２次反射光の影響を低減できる低反射率の材料で構成される膜であり、例えば酸化系もしくはフッ化系のMg、Zr、Ti、Si等の材料により、単層または多層で構成される。あるいは、反射防止膜は、ナノ構造を有する光吸収材であってもよい。
【００５３】
このような反射防止構造４１により、ワークからの反射光のうち正反射する方向に沿う強度の高い光の反射が抑制され、これにより２次反射光の発生自体が抑制される。
【００５４】
反射防止構造４１に代えて、光を拡散させる拡散構造がプローブカバー４５の下面４５ａに設けられていてもよい。拡散構造を形成する面は、例えば粗面加工やホログラム加工が施された面である。粗面加工としては、サンドブラスト加工、または意図的に設計された形状の凹凸加工がある。このような拡散構造によっても、２次反射光の発生自体が抑制される。
【００５５】
プローブカバーの少なくとも下部（対向領域）の構造（材料）自体が、反射防止構造または拡散構造であってもよい。すなわち、プローブカバーの少なくとも下部の筐体構造が、反射防止構造または拡散構造により構成されていてもよい。もちろん、プローブカバー全体の筐体構造が、反射防止構造または拡散構造により構成されていてもよい。
【００５６】
この反射防止構造４１または拡散構造は、上記第１の実施形態に係るプローブカバー４５に適用されたが、これに限られず、図８〜１０に示したプローブカバー７５、８５、１０５の下面に形成される凸面７５ａ、８５ａ、クランク形状の面１０５ａにも適用され得る。この場合も、それら凸面またはクランク形状の面を含む、プローブカバーの下部自体の構造が、反射防止構造または拡散構造であってもよい。
【００５７】
［第４の実施形態］
次に、本発明の第４の実施形態に係るプローブについて説明する。本実施形態に係るプローブは、プローブカバーに着脱可能な取付カバー６０を備える。
【００５８】
図１２Ａ、Ｂは、その取付カバー６０が装着されたプローブの具体例の１つを示す。図１２Ａに示すように、このプローブのプローブカバー９５には、その下面９５ａ（ワークに対向する対向領域）を覆うように取付カバー６０が装着されている。この下面９５ａは、例えばその上面９５ｃと同様に円弧形状を有する。図１２Ｂに示すように、プローブカバー９５の側面９５ｂの下部には、突起部９５ｄが設けられ、突起部９５ｄは、取付カバー６０の側壁６０ｂの内面に設けられた装着部としての凹部６０ｄに係合することにより接続可能となっている。突起部９５ｄは、側面９５ｂの一部または全周に設けられており、凹部６０ｄは突起部９５に対応する位置に設けられている。以上により、取付カバー６０は、プローブカバー９５に着脱可能とされる。
【００５９】
取付カバー６０には、開口部６３および６４がそれぞれ設けられている。具体的には、開口部６３および６４は、出射領域４３からの出射光および入射領域４４へ入射する測定光を通過させるように（遮らないように）出射領域４３および入射領域４４に対面する位置に設けられている。開口部６３、６４には、光を透過させる材料でなる部材が設けられていてもよい。取付カバー６０の、ワークに対向する対向部としての下面６０ａは、上記第１の実施形態のプローブカバー４５の下面４５ａと同様の機能を有する斜面で構成される。すなわち、この斜面は、入射領域４４に対して遠ざかる方向に、ワークからの正反射する方向に沿う光を反射させる（図６Ｂ参照）。
【００６０】
本実施形態において、取付カバー６０の側壁６０ｂの内面に突起部が設けられ、プローブカバー９５の側面に凹部が設けられていてもよい。
【００６１】
図１３は、他の例に係る取付カバーが装着されたプローブを示す。このプローブのプローブカバー９５は、図１２Ａ、Ｂに示したプローブカバー９５と同様である。取付カバー７０の下面７０ａは、２つの斜面７０ｂおよび７０ｃを有する凸面７０ａで構成される。この凸面７０ａは、例えば図８で示したプローブカバー７５の下面の凸面７５ａの形状と実質的に同様である。
【００６２】
この凸面７０ａの形状として、図１３で示した形状に限られず、上記第２の実施形態（図８〜１０）で説明した各下面の形状を適用することができる。
【００６３】
以上説明した第４の実施形態に係る取付カバー６０の下面６０ａ、取付カバー７０の凸面７０ａ等に、第３の実施形態で示した反射防止構造４１または拡散構造が設けられていてもよい。取付カバーの少なくとも下部の構造自体が、反射防止構造または拡散構造であってもよい。
【００６４】
以上説明した第４の実施形態で説明した「装着部」の機構は、突起部９５ｄと凹部６０ｄとの係合によるものであったが、これに限られず、ネジ止めによる機構や、ゴム等の高摩擦係数を有する材料の接触による機構であってもよい。
【００６５】
本実施形態のような取付カバーにより、例えばプローブカバーが既存のものであっても、それに取付カバーを取り付けることにより、２次反射を抑制できるプローブを実現することができる。
【００６６】
［その他の実施形態］
本発明は、以上説明した実施形態に限定されず、他の種々の実施形態を実現することができる。
【００６７】
上記実施形態では、プローブカバーの表面を構成する各面を、「上面」、「下面」、「側面」などと記載したが、これは説明をわかりやすくするための便宜上の記載である。例えば、プローブが図１に示したような形状測定装置１００に取り付けられるのではなく、多関節型のアームにプローブが取り付けられ、作業者がマニュアル操作でそのアームを操作して測定を行う場合には、プローブの姿勢は、上下左右の方向に捉われず、任意の姿勢を取り得る。
【００６８】
上記実施形態に係る照射光学系２０の光源としてコヒーレント光を発生するレーザダイオード２１が用いられたが、ＬＥＤ（Light Emitting Diode）等が用いられてもよい。
【００６９】
上記実施形態に係るライン光生成素子２３はロッドレンズであったが、これに代えて、ＤＭＤ、ガルバノミラー素子、またはポリゴンミラー素子など、ライン状に光を走査可能な光走査素子が用いられてもよい。
【００７０】
上記実施形態に係るプローブは、シャインプルーフ光学系の原理が応用されたプローブであったが、必ずしもこれに限られず、一般的な反射型の光センサを用いたプローブであってもよい。
【００７１】
図１２、１３に示したプローブカバー９５の形状は、円弧ブロック形状に限られない。例えば、プローブカバーの全体形状が直方体形状であったり、下面（対向領域）が、複数の平面で構成されていたりしてもよい。
【００７２】
上記実施形態に係る形状測定装置１００では、照射光学系２０の出射光軸がｚ方向に沿うようにプローブの姿勢が設定されていたが、出射光軸が斜めになるようにプローブの姿勢が設定されていてもよい。
【００７３】
以上説明した各形態の特徴部分のうち、少なくとも２つの特徴部分を組み合わせることも可能である。
【符号の説明】
【００７４】
１５…ステージ
２０…照射光学系
３０…受光光学系
４０…光学式プローブ
４１…反射防止構造
４３…出射領域
４４…入射領域
４５、７５、８５、９５、１０５…プローブカバー
５０…光学系
６０、７０…取付カバー
６０ａ…下面
６３…開口部
７０ａ、７５ａ、８５ａ…凸面
１０５ａ…クランク形状の面
１００…形状測定装置
【図１】
2015148570.tif 000003
【図２】
2015148570.tif 000004
【図３】
2015148570.tif 000005
【図４】
2015148570.tif 000006
【図５】
2015148570.tif 000007
【図６】
2015148570.tif 000008
【図７】
2015148570.tif 000009
【図８】
2015148570.tif 000010
【図９】
2015148570.tif 000011
【図１０】
2015148570.tif 000012
【図１１】
2015148570.tif 000013
【図１２】
2015148570.tif 000014
【図１３】
2015148570.tif 000015